(57)【特許請求の範囲】
【請求項１】
遊技球が入賞可能な入賞口が配置された遊技盤と、
前記遊技盤の前方に配置されており、前記遊技盤の盤面を視認可能な窓部を有し、左右両端の一方の端部を回動軸にして前記遊技盤に対して開閉可能に配置された前扉と、
前記遊技盤と前記前扉との間に前記盤面を覆うように配置されており、前記盤面を流下する遊技球が前記盤面から零れないように規制する機能を有し、透光性材料により形成された第１透光性部材と、
前記第１透光性部材を前記遊技盤に着脱可能に取付けるための第１取付手段と、
前記第１透光性部材を前記前扉に着脱可能に取付けるための第２取付手段と、を備えており、
前記第１透光性部材は、前記前扉が開放または閉成された状態において、前記第１および第２取付手段の少なくとも一方によって前記遊技盤および前扉の一方に取付けられていることを特徴とするパチンコ機。
【請求項２】
前記第１および第２取付手段の少なくとも一方は、特定の操作を加えることにより、取付箇所における取付力を調整可能に構成されており、
前記第１透光性部材は、前記前扉を開放したときに、前記取付力が大きい方の取付手段によって取付けられている側に取付けられた状態を維持することを特徴とする請求項１に記載のパチンコ機。
【請求項３】
前記前扉が開放されている状態で前記第１および第２取付手段の少なくとも一方に操作を加えた後に前記前扉を閉成することにより、前記操作を加えた方の取付手段の取付箇所における取付力が大きくなるように構成されていることを特徴とする請求項２に記載のパチンコ機。
【請求項４】
前記前扉が閉成されている状態で前記第１および第２取付手段の少なくとも一方に操作を加えることにより、前記操作を加えた方の取付手段の取付箇所における取付力が小さくなるように構成されていることを特徴とする請求項２または請求項３に記載のパチンコ機。
【請求項５】
前記前扉が閉成されている状態で前記第１および第２取付手段の少なくとも一方に操作を加えることにより、前記操作を加えた方の取付手段の取付箇所における取付力が大きくなるように構成されていることを特徴とする請求項２ないし請求項４のいずれか１つに記載のパチンコ機。
【請求項６】
前記第１および第２取付手段の少なくとも一方は、磁石の吸着力を利用したものであることを特徴とする請求項１ないし請求項５のいずれか１つに記載のパチンコ機。
【請求項７】
前記第１および第２取付手段の少なくとも一方は、部材による機械的結合力を利用したものであることを特徴とする請求項１ないし請求項６のいずれか１つに記載のパチンコ機。
【請求項８】
前記第２取付手段は、前記第１透光性部材の前面を前記前扉の後面に取付けるための取付部材を備えており、
前記取付部材は、前記特定の操作を加えることにより、前記第１透光性部材に対して係止状態または非係止状態になる係止部を有し、
前記第２取付手段は、前記係止部を前記係止状態にすることにより、前記第１取付手段の取付箇所における取付力よりも大きい取付力を発生することを特徴とする請求項７に記載のパチンコ機。
【請求項９】
前記前扉の後面と前記第１透光性部材の前面との間において、前記前扉の前記窓部の後面を覆う第２透光性部材が前記前扉の後面に取付けられており、
前記取付部材の後端には前記係止部が形成されており、
前記第２透光性部材には、前記取付部材を前記後端から挿通する第２挿通孔が前後方向に貫通形成されており、
前記第１透光性部材には、前記第２挿通孔を挿通した前記取付部材を挿通する第１挿通孔が前後方向に貫通形成されており、
前記取付部材は、前記第２挿通孔を経て前記第１挿通孔へ挿通したときに、前記第１挿通孔から後方へ突出した突出量が所定量を超えると、前記係止部が前記第１挿通孔の周囲に係止される構成であることを特徴とする請求項８に記載のパチンコ機。
【請求項１０】
前記係止部は、前記取付部材を前方へ移動させると、前記第１挿通孔の周囲に係止された状態が解除される構成であることを特徴とする請求項９に記載のパチンコ機。
【請求項１１】
前記第２取付手段を操作するための操作部が、前記前扉の前面に露出可能になっていることを特徴とする請求項１ないし請求項１０のいずれか１つに記載のパチンコ機。
【請求項１２】
前記前扉の後面と前記第１透光性部材の前面との間において、前記前扉の前記窓部の後面を覆う第２透光性部材が前記前扉の後面に取付けられており、
前記取付部材は、前記第２透光性部材の後面から後方へ突出しており、かつ、その突出した取付部材の後端には前記係止部が形成されており、
前記第１透光性部材には、前記取付部材を挿通する挿通孔が前後方向に貫通形成されており、
前記取付部材は、前記挿通孔へ挿通したときに、前記挿通孔から後方へ突出した突出量が所定量を超えると、前記取付部材の後端に形成された前記係止部が前記挿通孔の周囲に係止される構成であることを特徴とする請求項８に記載のパチンコ機。
【請求項１３】
前記係止部は、前記第１および第２透光性部材を相互に離反させると、前記挿通孔の周囲に係止された状態が解除される構成であることを特徴とする請求項１２に記載のパチンコ機。
【請求項１４】
前記係止部は、回動可能に構成されており、
前記取付部材は、前記挿通孔から後方へ突出した前記係止部を所定量回動させると、前記係止部が前記挿通孔の周囲に係止される構成であることを特徴とする請求項１２に記載のパチンコ機。
【発明の詳細な説明】
【技術分野】
【０００１】
この発明は、パチンコ機に関し、詳しくは、遊技盤の盤面を流下する遊技球が盤面から零れないように規制する透明のガラス扉を備えたパチンコ機に関する。
【背景技術】
【０００２】
従来、この種のパチンコ機として、遊技盤の前方において開閉可能に配置された前扉と、前扉と遊技盤との間に開閉可能に配置された前記のガラス扉とを備えたものが知られている（特許文献１〜３）。これらのパチンコ機では、遊技盤の盤面に打ち込まれた遊技釘間、あるいは、入賞口を開閉する開閉部材などで球詰まりが発生した場合には、まず、前扉を開放し、次いでガラス扉を開放して球詰まりを解消する。また、発射レールの取付角度や遊技球の発射強度などの調整を行った後に、遊技球を試射して調整結果を確認する場合は、ガラス扉を閉成し、盤面を流下する遊技球が零れないようにする。
【０００３】
【特許文献１】特開平１１−４７３９１号公報（第１０段落、図１）
【特許文献２】特開２００４−８３３１号公報（第４８〜５０段落、図４）
【特許文献３】特開２００４−３０５２７６号公報（第１３段落、図３）
【発明の開示】
【発明が解決しようとする課題】
【０００４】
しかし、上記従来の各パチンコ機では、球詰まりを解消する場合や遊技球を試射する場合に、前扉とは別個にガラス扉を開閉しなければならないため、作業性が悪いという問題がある。
【０００５】
そこでこの発明は、遊技盤の盤面を流下する遊技球が盤面から零れないように規制するガラス扉を開閉する際の作業性を良くすることができるパチンコ機を実現することを目的とする。
【課題を解決するための手段】
【０００６】
この発明は、上記目的を達成するため、請求項１ないし請求項１４に記載の発明では、遊技球が入賞可能な入賞口（２６ｂ）が配置された遊技盤（２０）と、前記遊技盤の前方に配置されており、前記遊技盤の盤面（２０ａ）を視認可能な窓部（３１）を有し、左右両端の一方の端部を回動軸（３５）にして前記遊技盤に対して開閉可能に配置された前扉（８）と、前記遊技盤と前記前扉との間に前記盤面を覆うように配置されており、前記盤面を流下する遊技球が前記盤面から零れないように規制する機能を有し、透光性材料により形成された第１透光性部材（１０）と、前記第１透光性部材を前記遊技盤に着脱可能に取付けるための第１取付手段（１２，１４，２２〜２５）と、前記第１透光性部材を前記前扉に着脱可能に取付けるための第２取付手段（１３，５０）と、を備えており、前記第１透光性部材は、前記前扉が開放または閉成された状態において、前記第１および第２取付手段の少なくとも一方によって前記遊技盤および前扉の一方に取付けられているという技術的手段を用いる。
【０００７】
請求項２に記載の発明では、請求項１に記載のパチンコ機（１）において、前記第１および第２取付手段（１２，１３，１４，２２〜２５，４２，５０）の少なくとも一方は、特定の操作を加えることにより、取付箇所における取付力を調整可能に構成されており、前記第１透光性部材（１０）は、前記前扉（８）を開放したときに、前記取付力が大きい方の取付手段によって取付けられている側に取付けられた状態を維持するという技術的手段を用いる。
【０００８】
請求項３に記載の発明では、請求項２に記載のパチンコ機（１）において、前記前扉（８）が開放されている状態で前記第１および第２取付手段（１２，１３，１４，２２〜２５，４２，５０）の少なくとも一方に操作を加えた後に前記前扉を閉成することにより、前記操作を加えた方の取付手段の取付箇所における取付力が大きくなるように構成されているという技術的手段を用いる。
【０００９】
請求項４に記載の発明では、請求項２または請求項３に記載のパチンコ機（１）において、前記前扉（８）が閉成されている状態で前記第１および第２取付手段（１２，１３，１４，２２〜２５，４２，５０）の少なくとも一方に操作を加えることにより、前記操作を加えた方の取付手段の取付箇所における取付力が小さくなるように構成されているという技術的手段を用いる。
【００１０】
請求項５に記載の発明では、請求項２ないし請求項４のいずれか１つに記載のパチンコ機（１）において、前記前扉（８）が閉成されている状態で前記第１および第２取付手段（１２，１３，１４，２２〜２５，４２，５０）の少なくとも一方に操作を加えることにより、前記操作を加えた方の取付手段の取付箇所における取付力が大きくなるように構成されているという技術的手段を用いる。
【００１１】
請求項６に記載の発明では、請求項１ないし請求項５のいずれか１つに記載のパチンコ機（１）において、前記第１および第２取付手段（１２，１３，１４，２２〜２５，４２，５０）の少なくとも一方は、磁石（１２ｃ，２２ｄ）の吸着力を利用したものであるという技術的手段を用いる。
【００１２】
請求項７に記載の発明では、請求項１ないし請求項６のいずれか１つに記載のパチンコ機（１）において、前記第１および第２取付手段（１２，１３，１４，２２〜２５，４２，５０）の少なくとも一方は、部材（１３，５０）による機械的結合力を利用したものであるという技術的手段を用いる。
【００１３】
請求項８に記載の発明では、請求項７に記載のパチンコ機（１）において、前記第２取付手段（１３，５０）は、前記第１透光性部材（１０）の前面を前記前扉（８）の後面に取付けるための取付部材（５０）を備えており、前記取付部材は、前記特定の操作を加えることにより、前記第１透光性部材に対して係止状態または非係止状態になる係止部（５３）を有し、前記第２取付手段は、前記係止部を前記係止状態にすることにより、前記第１取付手段（１２，１４，２２〜２５，）の取付箇所における取付力よりも大きい取付力を発生するという技術的手段を用いる。
【００１４】
請求項９に記載の発明では、請求項８に記載のパチンコ機（１）において、前記前扉（８）の後面と前記第１透光性部材（１０）の前面との間において、前記前扉の前記窓部（３１）の後面を覆う第２透光性部材（４０）が前記前扉の後面に取付けられており、前記取付部材（５０）の後端には前記係止部（５３）が形成されており、前記第２透光性部材には、前記取付部材を前記後端から挿通する第２挿通孔（４２ａ）が前後方向に貫通形成されており、前記第１透光性部材には、前記第２挿通孔を挿通した前記取付部材を挿通する第１挿通孔（１３ａ）が前後方向に貫通形成されており、前記取付部材は、前記第２挿通孔を経て前記第１挿通孔へ挿通したときに、前記第１挿通孔から後方へ突出した突出量が所定量を超えると、前記係止部が前記第１挿通孔の周囲に係止される構成であるという技術的手段を用いる。
【００１５】
請求項１０に記載の発明では、請求項９に記載のパチンコ機（１）において、前記係止部（５３）は、前記取付部材（５０）を前方へ移動させると、前記第１挿通孔（１３ａ）の周囲に係止された状態が解除される構成であるという技術的手段を用いる。
【００１６】
請求項１１に記載の発明では、請求項１ないし請求項１０のいずれか１つに記載のパチンコ機（１）において、前記第２取付手段（５０）を操作するための操作部（５２）が、前記前扉（８）の前面に露出可能になっているという技術的手段を用いる。
【００１７】
請求項１２に記載の発明では、請求項８に記載のパチンコ機（１）において、前記前扉（８）の後面と前記第１透光性部材（１０）の前面との間において、前記前扉の前記窓部（３１）の後面を覆う第２透光性部材（４０）が前記前扉の後面に取付けられており、前記取付部材（５４，６０）は、前記第２透光性部材の後面から後方へ突出しており、かつ、その突出した取付部材の後端には前記係止部（５３，６３）が形成されており、前記第１透光性部材には、前記取付部材を挿通する挿通孔（１３ａ）が前後方向に貫通形成されており、前記取付部材は、前記挿通孔へ挿通したときに、前記挿通孔から後方へ突出した突出量が所定量を超えると、前記取付部材（５４，６０）の後端に形成された前記係止部が前記挿通孔の周囲に係止される構成であるという技術的手段を用いる。
【００１８】
請求項１３に記載の発明では、請求項１２に記載のパチンコ機（１）において、前記係止部（５３）は、前記第１および第２透光性部材（１０，４０）を相互に離反させると、前記挿通孔（１３ａ）の周囲に係止された状態が解除される構成であるという技術的手段を用いる。
【００１９】
請求項１４に記載の発明では、請求項１２に記載のパチンコ機（１）において、前記係止部（６３）は、回動可能に構成されており、前記取付部材（６０）は、前記挿通孔（１３ｃ）から後方へ突出した前記係止部を所定量回動させると、前記係止部が前記挿通孔の周囲に係止される構成であるという技術的手段を用いる。
なお、上記の括弧内の符号は、後述する実施形態において使用する符号と対応するものである。
【発明の効果】
【００２０】
（請求項１に係る発明の効果）
前扉を開放したときに第１透光性部材が第２取付手段によって前扉に取付けられた状態にしておくことができる。
従って、遊技盤の盤面上で球詰まりなどの不具合が発生したときに、前扉を開放すれば、前扉と共に第１透光性部材も開放されるため、前扉とは別個に第１透光性部材を開放する手間が不要になる。
また、前扉を開放したときに第１透光性部材が第１取付手段によって遊技盤に取付けられた状態にしておくことができる。
従って、発射レールの取付角度や遊技球の発射強度などの調整を行った後に遊技球を試射する際に、第１透光性部材を閉成する手間が不要になる。
つまり、請求項１に係る発明によれば、第１透光性部材を開閉する際の作業性を良くすることができる。
【００２１】
また、第１透光性部材は遊技盤に対して着脱可能であるため、遊技盤の製造段階において予め第１透光性部材を遊技盤に取付けておけば、遊技盤の搬送中（遊技店への搬入作業中およびパチンコ機への設置作業中も含む）に遊技盤の盤面を第１透光性部材によって保護することができる。
従って、遊技盤の盤面に取付けられている各種の遊技部品（例えば、図柄表示装置、遊技釘、装飾用ＬＥＤなどの発光部材など）の損傷や変形を防止することができる。同様に、遊技店内においてパチンコ機の設置場所を変更する際や、遊技店からパチンコ機を撤去する際にも上記の遊技部品を保護することができる。このため、図柄表示装置を画面に傷のない状態で再利用（リユース）することもできる。
【００２２】
（請求項２に係る発明の効果）
特定の操作を加えた方の取付手段による取付箇所における取付力を、特定の操作を加えていない方の取付手段による取付箇所における取付力よりも大きくすることができ、前扉を開放したときに、取付力が大きい方の取付手段によって取付けられている側に第１透光性部材が取付けられた状態を維持することができる。
従って、前扉を開閉する前に、予め第１または第２取付手段に対して特定の操作を加えておけば、前扉を開閉するだけで、第１透光性部材が前扉に取付けられた状態にするか、あるいは、遊技盤に取付けられた状態にするかを選択することができる。
【００２３】
例えば、後述の実施形態にて説明するように、前扉８が閉成された状態において、扉体装着部材５０（第２取付手段）をガラス枠体４０にねじ込む（特定の操作）と、扉体装着部材５０が透明板扉体１０（第１透光性部材）に係止される。その係止力（取付力）は、磁石１２ｃおよび磁石２２ｄ（第１取付手段）による吸着力（取付力）よりも大きくなるため、前扉８を開放すると、前扉８に取付けられた状態の透明板扉体１０が遊技盤２０から外され、前扉８と一緒に開放される。
【００２４】
また、逆に、前扉８が閉成された状態において、扉体装着部材５０（第２取付手段）を緩める（特定の操作）と、扉体装着部材５０の透明板扉体１０（第１透光性部材）に対する係止状態が解かれる。これにより、その係止力（取付力）は無くなり、磁石１２ｃおよび磁石２２ｄ（第１取付手段）による吸着力（取付力）よりも小さくなるため、前扉８を開放すると、透明板扉体１０は遊技盤２０に取付けられたままの状態になり、前扉８のみが開放される。
【００２５】
（請求項３に係る発明の効果）
前扉が開放されている状態で第１および第２取付手段の少なくとも一方に操作を加えた後に前扉を閉成することにより、操作を加えた方の取付手段の取付箇所における取付力を大きくすることができる。
従って、前扉を閉成する前に、予め第１または第２取付手段に対して特定の操作を加えておき、前扉を閉成し、再度前扉を開放すると、第１透光性部材が前扉に取付けられた状態、あるいは、遊技盤に取付けられた状態を選択することができる。
【００２６】
例えば、後述の実施形態にて説明するように、前扉８が開放された状態において、扉体装着部材５０（第２取付手段）をガラス枠体４０にねじ込んでおき（特定の操作）、前扉８を閉成すると、扉体装着部材５０が透明板扉体１０（第１透光性部材）に係止される。その係止力（取付力）は、磁石１２ｃおよび磁石２２ｄ（第１取付手段）による吸着力（取付力）よりも大きくなるため、再度前扉８を開放すると、透明板扉体１０を前扉８に取付けられた状態で前扉８と一緒に開放することができる。
【００２７】
（請求項４に係る発明の効果）
前扉が閉成されている状態で第１および第２取付手段の少なくとも一方に操作を加えることにより、操作を加えた方の取付手段の取付箇所における取付力を小さくすることができる。
従って、前扉を開放する前に、予め第１または第２取付手段に対して特定の操作を加えてから前扉を開放すると、第１透光性部材が前扉に取付けられた状態、あるいは、遊技盤に取付けられた状態を選択することができる。
【００２８】
例えば、後述の実施形態にて説明するように、前扉８が閉成された状態において、扉体装着部材５０（第２取付手段）を緩め（特定の操作）、透明板扉体１０との係止状態を解くと、その係止力（取付力）が無くなり、磁石１２ｃおよび磁石２２ｄ（第１取付手段）による吸着力（取付力）よりも小さくなるため、前扉８を開放すると、透明板扉体１０は遊技盤２０に取付けられたままの状態になり、前扉８のみを開放することができる。
【００２９】
（請求項５に係る発明の効果）
前扉が閉成されている状態で第１および第２取付手段の少なくとも一方に操作を加えることにより、操作を加えた方の取付手段の取付箇所における取付力を大きくすることができる。
従って、前扉を開放する前に、予め第１または第２取付手段に対して特定の操作を加えてから前扉を開放すると、第１透光性部材が前扉に取付けられた状態、あるいは、遊技盤に取付けられた状態を選択することができる。
【００３０】
例えば、後述の実施形態にて説明するように、前扉８が閉成された状態において、扉体装着部材５０（第２取付手段）をガラス枠体４０にねじ込み（特定の操作）、透明板扉体１０に係止すると、その係止力（取付力）は、磁石１２ｃおよび磁石２２ｄによる吸着力（取付力）よりも大きくなるため、前扉８を開放すると、透明板扉体１０を前扉８に取付けられた状態で前扉８と一緒に開放することができる。
【００３１】
（請求項６に係る発明の効果）
第１および第２取付手段の少なくとも一方は、磁石の吸着力を利用したものであるため、磁力の強弱を選定することにより、所望の取付力を生むことができる。また、磁石の吸着部分は、吸着と吸着の解除とをくり返しても摩耗が殆ど無いため、取付手段としての耐久性を高めることができる。
【００３２】
例えば、後述の実施形態にて説明するように、透明板扉体１０（第１透光性部材）に備えられた上部取付軸１２を遊技盤２０の上部取付孔２３へ挿入すると、上部取付軸１２に装着されている磁石１２ｃ（第１取付手段）と、上部取付孔２３の内部に嵌合された上部後面支持部材２２に装着されている磁石２２ｄ（第１取付手段）とが吸着し、透明板扉体１０が遊技盤２０の前面に取付けられた状態になる。
【００３３】
（請求項７に係る発明の効果）
第１および第２取付手段の少なくとも一方は、部材による機械的結合力を利用したものであるため、磁石の吸着力よりも大きな取付力を生むことができる。
従って、第１取付手段に磁石の吸着力を利用し、第２取付手段に部材による機械的結合力を利用すれば、第１透光性部材が第２取付手段によって前扉に取付けられた場合、第１透光性部材は前扉の開閉に伴って開閉する。また、逆に、第１透光性部材が第１取付手段によって遊技盤に取付けられ、第２取付手段によって前扉に取付けられていない状態にしておけば、前扉を開放したときに第１透光性部材が遊技盤に取付けられた状態のままにしておくことができる。
【００３４】
例えば、後述の実施形態にて説明するように、扉体装着部材５０（部材）を透明板扉体１０（第１透光性部材）に備えられた装着片１３の装着用貫通孔１３ａへ挿通し、扉体装着部材５０の後端に形成された係止片５３を装着用貫通孔１３ａの後面側の周囲に係止すると、その係止力（取付力）は、透明板扉体１０を遊技盤２０に取付けている磁石１２ｃ，２２ｄによる吸着力（取付力）よりも大きい。
【００３５】
（請求項８に係る発明の効果）
第２取付手段の取付部材に特定の操作を加えると、取付部材の係止部が第１透光性部材に対して係止状態または非係止状態になり、係止状態にすることにより、第１取付手段の取付箇所における取付力よりも大きい取付力を発生することができる。
【００３６】
例えば、後述の実施形態にて説明するように、扉体装着部材５０（取付部材）をねじ込むと（特定の操作を加えると）、扉体装着部材５０の係止片５３（係止部）が透明板扉体１０（第１透光性部材）に対して係止状態になり、扉体装着部材５０を緩めると（特定の操作を加えると）、係止片が非係止状態になる。そして、係止片５３を係止状態にすると、その係止力（取付力）は、透明板扉体１０を遊技盤２０に取付けている磁石１２ｃ，２２ｄによる吸着力（取付力）よりも大きい。
【００３７】
（請求項９に係る発明の効果）
取付部材を第２透光性部材の第２挿通孔から第１透光性部材の第１挿通孔へ挿通し、第１挿通孔から後方へ突出した取付手段の突出量が所定量を超えるようにすると、取付手段の後端に形成された係止部を第１挿通孔の周囲に係止することができる。
つまり、取付部材を各透光性部材の挿通孔へ挿通するだけで第１および第２透光性部材を前扉の後面に取付けることができる。
また、前扉の後面と第１透光性部材の前面との間において、前扉の窓部の後面を覆う第２透光性部材が前扉の後面に取付けられているため、盤面を流下する遊技球が第１透光性部材の後面に衝突したときの衝突音を軽減することができる。さらに、盤面に対する不正行為防止を強化することもできる。
【００３８】
例えば、後述の実施形態にて説明するように、扉体装着部材５０（取付部材）をガラス枠体４０（第２透光性部材）のネジ孔４２ａ（第２挿通孔）から透明板扉体１０（第１透光性部材）の装着用貫通孔１３ａ（第１挿通孔）へ挿通し、装着用貫通孔１３ａから後方へ突出した扉体装着部材５０の突出量が所定量を超えると、扉体装着部材５０の後端に形成された係止片５３（係止部）を装着用貫通孔１３ａの後面側の周囲に係止することができる。
【００３９】
（請求項１０に係る発明の効果）
取付部材を前方へ移動させるだけの簡単な操作により、係止部の第１挿通孔の周囲に係止された状態を解除することができる。
【００４０】
例えば、後述の実施形態にて説明するように、扉体装着部材５０（取付部材）を反時計回りに回動し、ねじ込みを緩めると前方へ移動し、係止片５３（係止部）が装着用貫通孔１３ａ（第１挿通孔）の後面側の周囲に係止された状態を解除することができる。
【００４１】
（請求項１１に係る発明の効果）
第２取付手段を操作するための操作部が、前扉の前面に露出可能になっているため、前扉を開放しなくても第２取付手段を操作することができる。
【００４２】
（請求項１２に係る発明の効果）
取付部材は、第２透光性部材の後面から後方へ突出しており、かつ、その突出した取付部材の後端には係止部が形成されているため、第１透光性部材の第１挿通孔に取付部材を挿通すると、取付部材の係止部が第１挿通孔の周囲に係止され、第１透光性部材が前扉に取付けられた状態にすることができる。
また、第１挿通孔から突出した係止部を手指などで操作することにより、係止部の係止状態を解除すれば、第１透光性部材を前扉から取り外すことができる。
さらに、取付部材の操作部が前扉の前面に露出しないし、取付部材を操作するための開口部を前扉の前面に形成する必要もないため、前扉のデザインが損なわれるおそれもない。
【００４３】
例えば、後述の実施形態（図１４，１５）にて説明するように、前扉８を構成するガラス枠体４０の後面から扉体装着部材５４，６０（取付部材）を後方へ突出させた構成とし、扉体装着部材５４，６０の後端に形成された係止片５３，６３を操作して透明板扉体１０を着脱する。
【００４４】
（請求項１３に係る発明の効果）
第１および第２透光性部材を相互に離反させるという簡単な操作により、係止部の挿通孔の周囲に係止された状態を解除することができる。
【００４５】
例えば、後述の実施形態（図１４）にて説明するように、透明板扉体１０（第１透光性部材）およびガラス枠体４０（第２透光性部材）を相互に離反させると、扉体装着部材５４の係止片５３，５３の係止状態が解除され、透明板扉体１０をガラス枠体４０から取り外すことができる。
【００４６】
（請求項１４に係る発明の効果）
挿通孔から後方へ突出した取付部材の係止部を所定量回動するという簡単な操作により、取付部材の後端に形成された係止部を挿通孔の周囲に係止することができる。
【００４７】
例えば、後述の実施形態（図１５）にて説明するように、透明板扉体１０（第１透光性部材）の装着用貫通孔１３ｃから後方へ突出した係止片６３を所定量回動すると、係止片６３が装着片１３の後面に係止され、係止片６３を係止前の姿勢になるまで回動して戻すと、係止片６３と装着用貫通孔１３ｃとが一致し、透明板扉体１０をガラス枠体４０（第２透光性部材）から取り外すことができる。
【発明を実施するための最良の形態】
【００４８】
＜第１実施形態＞
この発明の第１実施形態について説明する。
［全体の主要構成］
まず、この実施形態のパチンコ機の主要構成について図を参照して説明する。図１は、そのパチンコ機の外観を示す斜視図である。図２は図１に示すパチンコ機の正面図である。
【００４９】
図１に示すように、パチンコ機１には、外殻を構成する外枠２が設けられており、その外枠２の上部左端には、回動軸取付部材６が取付けられている。外枠２は、回動軸取付部材６に軸支された回動軸６ａを回動中心にして開閉可能に取付けられている。外枠２の前面には、前扉８が配置されている。前扉８は、その左側上端に設けられた回動軸３５を回動中心にして開閉可能に配置されている。前扉８は、前面装飾扉３０と、その後面に配置された透明のガラス板４１を有するガラス枠体４０（図５参照）とで構成されており、そのガラス枠体４０の後方には遊技盤（図４，５にて符号２０で示す）が配置されている。前面装飾扉３０には、ガラス板４１越しに遊技盤を覗く窓部３１が開口形成されている。この実施形態では、窓部３１の上部は、上方に膨らんだ円弧状を呈しており、下部は四角形を呈しているが、遊技盤の盤面を視認できれば、形状は限定されない。
【００５０】
前扉８の下方には、上皿パネル３が、その左端に設けられた回動軸３ｄを回動軸にして開閉可能に配置されている。上皿パネル３には、供給口３ｃから供給された遊技球を貯留するとともに、その貯留されている遊技球を発射装置（図示せず）へ供給する上皿３ａが備えられている。上皿パネル３の下方には、下皿パネル４が配置されている。下皿パネル４には、排出口４ｃから排出された遊技球を貯留する下皿４ａが備えられている。上皿パネル３には、上皿３ａに貯留されている遊技球を下皿４ａに抜くための上皿球抜きレバー３ｂが備えられており、下皿４ａには、下皿４ａに貯留されている遊技球を賞球箱（図示せず）へ抜くための下皿球抜きレバー４ｂが備えられている。下皿４ａの左側には、灰皿４ｄが配置されており、下皿４ａの右側には、遊技球の発射および発射強度の調整を行う発射レバー７が配置されている。下皿パネル４の下部において、横長板状の幕板５が外枠２に取付けられている。
なお、外枠２以外の構成である前扉８、上皿パネル３および下皿パネル４から構成された部分が前枠と呼ばれている。
【００５１】
図２に示すように、前面装飾扉３０の前面上部には上部装飾部３２ａが、前面左右両側には左右装飾部３２ｂ，３２ｂが、前面下部には下部装飾部３２ｃがそれぞれ配置されている。上部装飾部３２ａの左右には、後述する扉体装着部材５０（図４，５）を操作するための操作摘部５２を覆うカバー部材３３，３３が、それぞれ開閉可能に取付けられている。パチンコ機１の前面上部の説明図である図３に示すように、各カバー部材３３は、その上端を回動軸にしてそれぞれ上下方向に開閉可能になっている。各カバー部材３３によって覆われている部分には、収容凹部３４がそれぞれ後方へ窪んで形成されており、各収容凹部３４には、操作摘部５２がそれぞれ収容されている。つまり、カバー部材３３を開放すると、操作摘部５２が露出し、操作摘部５２を操作可能になる。
【００５２】
［遊技盤の主要構成］
次に、遊技盤２０の主要構成について図を参照して説明する。
図２に示すように、遊技盤２０には、発射装置により発射された遊技球を盤面２０ａへ案内するための発射レール２１が設けられている。発射レール２１は、円弧状をなしており、発射レール２１により囲まれた領域が遊技領域に設定されている。その遊技領域には、図柄表示装置２７が配置されており、その図柄表示装置２７の下方には、始動口２８が配置されており、その始動口２８の下方には、変動入賞装置２６が配置されている。
遊技領域を流下する遊技球が始動口２８に入賞すると、図柄表示装置２７が複数種類の図柄を変動表示し、その変動表示の終了時に停止表示された図柄が大当り図柄であった場合は、変動入賞装置２６が作動し、開閉部材２６ａが開閉され、大入賞口２６ｂが開閉する。また、盤面２０ａには、多くの遊技釘（図示せず）が打ち込まれており、遊技球は遊技釘に衝突しながら流下方向を変化させ、入賞口や始動口２８に入賞したり、あるいは、どこにも入賞しないでアウト口から回収されたりする。
【００５３】
［前扉８および遊技盤２０間の構造］
次に、前扉８および遊技盤２０間の構造について図を参照して説明する。
図４は、パチンコ機１の内部構造を示す部分断面説明図である。図５は、前扉８および遊技盤２０間の構成部材を示す分解斜視図である。
【００５４】
前面装飾扉３０の後面にはガラス枠体４０が着脱可能に取付けられており、そのガラス枠体４０と遊技盤２０との間には透明板扉体１０が着脱可能に取付けられている。ガラス枠体４０は、ガラス板４１と、ガラス板４１を前面装飾扉３０の後面に取付けるための取付部材としての板状枠部材４３とを備える。板状枠部材４３の上部には、後述する扉体装着部材５０を案内するための案内部材としてのガイド部材４２，４２が取付けられている。
この実施形態では、板状枠部材４３は、板状で四角形の枠状に形成されており、ガラス板４１の端部を挟持固定している。ガラス板４１は四角形で、前面装飾扉３０の窓部３１の後面を総て覆う大きさに形成されている。
【００５５】
板状枠部材４３の左右両端および下端には、ガラス板４１を挟持するための溝が形成された挟持部４３ａ（図４）が形成されている。挟持部４３ａの前部には、ガラス枠体４０を前面装飾扉３０の後面に取付けるための取付部４３ｂ（図４）が一体形成されている。
各ガイド部材４２は、板状枠部材４３の上部の前面から後面に貫通形成された各取付孔４３ｃにそれぞれ挿通固定されている。各ガイド部材４２は、筒状に形成されており、その内部には、後述する扉体装着部材５０の軸体５１（図５）をねじ込むためのネジ孔４２ａが前後方向に貫通形成されている。そのネジ孔４２ａの内周面には、軸体５１の外周面に刻まれた雄ねじと噛み合う雌ねじが刻まれている。
【００５６】
なお、ガラス板４１は四角形である必要はなく、他の形状、例えば、前面装飾扉３０の窓部３１の形状に対応した形状などでもよい。また、ガラス板に代えてアクリル板などの透明の合成樹脂板を使用してもよい。さらに、板状枠部材４３もガラス板４１を固定する機能を果たせば良く、ガラス板４１の形状に対応した形状でも良い。さらに、板状枠部材４３は、挟持部４３ａのようにガラス板４１を挟持する構造ではなく、ボルト、ビス、ボスなどの取付部材を用いて平板状の取付部材にガラス板４１を直接取付ける構造でもよい。また、板状枠部材４３や上記取付部材などと同様の機能を有する構造を前面装飾扉３０の後面に一体形成してもよい。さらに、ガラス板４１を取付けるための部材を使用しないで、上記の取付部材によってガラス板４１を直接前面装飾扉３０の後面に取付ける構造でもよい。
【００５７】
図６は透明板扉体１０の斜視図であり、（ａ）は前方から見た斜視図、（ｂ）は後方から見た斜視図である。図７は遊技盤２０および透明板扉体１０の説明図であり、（ａ）は遊技盤２０の正面図、（ｂ）は遊技盤２０の前面に透明板扉体１０が取付けられた状態を示す斜視図である。図８はパチンコ機１の正面説明図である。図９は図８の縦断面の一部を省略して示す断面部分説明図であり、（ａ）は図８のＡ−Ａ矢視断面部分説明図、（ｂ）は図８のＢ−Ｂ矢視断面部分説明図、（ｃ）は図８のＣ−Ｃ矢視断面部分説明図である。
【００５８】
図６に示すように、透明板扉体１０は、透明で板状の透明板１５と、この透明板１５を保持する枠状の保持部材としての透明板枠体１１とを備える。透明板枠体１１の上部には、透明板扉体１０を板状枠部材４３の後面、つまり前扉８の後面に装着するための装着片１３，１３が設けられている。この実施形態では、各装着片１３は、それぞれ透明板枠体１１の上部から上方へ突出形成されている。各装着片１３には、扉体装着部材５０を挿通するための挿通孔としての装着用貫通孔１３ａが、それぞれ前後方向に貫通形成されている。
【００５９】
また、透明板枠体１１には、透明板扉体１０を遊技盤６に装着するための装着部材としての上部取付軸１２，１２が設けられている。この実施形態では、各上部取付軸１２は、それぞれ装着片１３よりも下方に配置されている。各上部取付軸１２は、透明板枠体１１から突出形成された突出部１２ａと、この突出部１２ａの後面から後方へ突出した筒状部１２ｂと、この筒状部１２ｂの内部に固定された磁石１２ｃとをそれぞれ備える。透明板枠体１１の後面下部の左右両端からは、下部係止片１４がそれぞれ後方へ突出形成されている。
この実施形態では、透明板１５は、前面装飾扉３０の窓部３１のように、上部は上方に膨らんだ円弧状を呈しており、下部は四角形を呈しているが、その形状に限定されるものではなく、ガラス板４１の形状に対応した形状などでもよい。また、透明板１５は、透明で板状であれば良く、アクリル板などの透明の合成樹脂板、ガラス板などを使用する。
【００６０】
図７（ａ）に示すように、遊技盤２０には、透明板枠体１１の各上部取付軸１２の筒状部１２ｂを挿入するための上部取付孔２３，２３と、透明板枠体１１の各下部係止片１４を係止するための下部取付孔２４，２４とが、それぞれ前後方向に貫通形成されている。図５および図９（ｂ）に示すように、各上部取付孔２３には、その後面から上部後面支持部材２２の本体２２ａがそれぞれ嵌合されている。上部後面支持部材２２は、本体２２ａと、この本体２２ａを取付けるための取付片２２ｂ，２２ｂと、本体２２ａの内部に固定された磁石２２ｄとを備える。各磁石２２ｄは、透明板枠体１１の上部取付軸１２に備えられた磁石１２ｃ（図６（ｂ））の極性と逆の極性をそれぞれ有する。
【００６１】
図９（ｂ）に示すように、本体２２ａは、遊技盤２０の上部取付孔２３の内部形状に合致した形状に形成されている。一方の取付片２２ｂは本体２２ａの上面から上方へ、他方の取付片２２ｂは本体２２ａの下面から下方へそれぞれ突出している。各取付片２２ｂには、取付片２２ｂを遊技盤２０の後面に固定するための固定部材としての取付ネジ２２ｅを挿通するためのネジ挿通孔２２ｃが、それぞれ前後方向に貫通形成されている。本体２２ａは、遊技盤２０の後面から上部取付孔２３の内部に嵌合されている。各取付片２２ｂは、取付ネジ２２ｅを後方からネジ挿通孔２２ｃへそれぞれ挿通し、その挿通された取付ネジ２２ｅを遊技盤２０の後面にねじ込むことにより、上部取付孔２３の後部の開口面周囲における遊技盤２０の後面にそれぞれ固定されている。
【００６２】
図９（ｃ）に示すように、遊技盤２０の各下部取付孔２４には、後方から下部後面支持部材２５の本体２５ａがそれぞれ嵌合されている。各下部後面支持部材２５は、本体２５ａと、この本体２５ａを取付けるための取付片２５ｂとをそれぞれ備える。この実施形態では、各取付片２５ｂは本体２５ａの後面からそれぞれ上方へ突出しており、各取付片２５ｂには、取付片２５ｂを遊技盤２０の後面に固定するための固定部材としての取付ネジ２５ｃを挿通するためのネジ挿通孔２５ｄが、それぞれ前後方向に貫通形成されている。
本体２５ａは、遊技盤２０の後面から下部取付孔２４の内部に嵌合されている。各取付片２５ｂは、取付ネジ２５ｃを後方からネジ挿通孔２５ｄへそれぞれ挿通し、その挿通された取付ネジ２５ｃを遊技盤２０の後面にねじ込むことにより、下部取付孔２４の後部の開口面周囲における遊技盤２０の後面にそれぞれ固定されている。
【００６３】
図５に示すように、扉体装着部材５０は、軸体５１と、この軸体５１の前端に形成された操作摘部５２と、軸体５１の後端に形成された係止片５３，５３とを備える。図３および図９（ａ）に示すように、操作摘部５２は、指で摘んで軸体５１を回動させることができる形状に形成されており、軸体５１の外周面には、ガラス枠体４０のガイド部材４２のネジ孔４２ａに刻まれた雌ねじと噛み合う雄ねじが刻まれている。
この実施形態では、軸体５１は、ボルトの円柱部分に類似した形状に形成されている。また、操作摘部５２は、端面を前方に向けた姿勢の板状に形成されており、両側の板面を親指および人差し指によって摘むことができる大きさに形成されている。
【００６４】
また、図５における係止片５３の拡大図に示すように、各係止片５３は、軸体５１の後端から後方へ延びた棒状部５３ａと、この棒状部５３ａの後端から膨出形成された鉾先形状の係止部５３ｂとをそれぞれ備える。ここで、棒状部５３ａの後方への延長線５３ｆから遠ざかる方向を外方とし、近づく方向を内方とする。各係止部５３ｂは、棒状部５３ａの後方の基部と鈍角を形成して外方へ傾斜した第１傾斜部５３ｃと、この第１傾斜部５３ｃの外方側の端部において外方へ円弧状に形成された円弧部５３ｄと、この円弧部５３ｄから内方へ傾斜した第２傾斜部５３ｅとをそれぞれ備える。各係止片５３は、それぞれ合成樹脂などの材料によって形成されており、軸体５１の後端側の基部を支点にして外方および内方へ撓むバネ性を有する。このため、各係止片５３は、外方または内方へ撓んだときは、撓む前の姿勢に復元する復元力が作用する。
図４に示すように、パチンコ機１の裏面には、島設備から供給された遊技球を貯留する球タンク１ａと、パチンコ機１を電気的に制御するためのマイクロコンピュータなどが搭載された制御基板１ｂ，１ｃとが備えられている。
【００６５】
［遊技盤２０の交換］
次に、遊技盤２０を交換するときについて図を参照して説明する。
図１０は遊技盤２０を交換するときの説明図であり、（ａ）は遊技盤２０および透明板扉体１０が取り除かれた状態の横断面図、（ｂ）は新しく遊技盤２０および透明板扉体１０が取付けられた状態の横断面図、（ｃ）は（ａ）の状態における扉体装着部材５０の状態を示す縦断面図、（ｄ）は（ｂ）の状態における扉体装着部材５０の状態を示す縦断面図、（ｅ）、（ｆ）は係止片５３が装着用貫通孔１３ａの内部を後方へ進む様子を示す縦断面図である。図１１は透明板扉体１０を前扉に取付けるための手法を示す説明図であり、（ａ）は前扉８を閉成した状態の横断面図、（ｂ）は前扉８を開放した状態の横断面図、（ｃ）は（ａ）の状態における扉体装着部材５０の状態を示す縦断面図、（ｄ）は（ｂ）の状態における扉体装着部材５０の状態を示す縦断面図である。
【００６６】
最初に、透明板扉体１０を遊技盤２０に取付ける手法を説明する。まず、透明板扉体１０の各上部取付軸１２をそれぞれ遊技盤２０の上部取付孔２３へ挿入すると、各上部取付軸１２に内蔵された各磁石１２ｃと、上部取付孔２３の内部に嵌合されている上部後面支持部材２２に内蔵された各磁石２２ｄとが、磁力による吸引力によってそれぞれ吸着される。次に、透明板扉体１０の各下部係止片１４をそれぞれ遊技盤２０の下部取付孔２４にそれぞれ挿入すると、各下部係止片１４の後面が下部取付孔２４の内部に嵌合されている下部後面支持部材２５の本体２５ａの前面に当接し、各下部係止片１４がそれぞれ下部取付孔２４に係止された状態になる。これにより、図７（ｂ）に示すように、透明板扉体１０が遊技盤２０の前面に着脱可能に取付けられた状態になる。
【００６７】
従って、透明板扉体１０によって遊技盤２０の盤面２０ａが覆われているため、遊技盤２０の搬送中において盤面２０ａに取付けられている各種の遊技部品（例えば、図柄表示装置２７、遊技釘、装飾用ＬＥＤなどの発光部材など）の損傷や変形を防止することができる。また、塵芥が盤面２０ａに付着するおそれがない。さらに、遊技盤２０を搬送したり、外枠２に取付ける際に、作業者の手で盤面２０ａが汚れるおそれもない。
【００６８】
次に、図１０（ａ）、（ｃ）に示すように、前扉８を開放し、交換すべき遊技盤２０および透明板扉体１０を外枠２から取り除く。次に、図１０（ｂ）、（ｄ）に示すように、新しい遊技盤２０および透明板扉体１０を外枠２に取付ける。新しい遊技盤２０は、図７（ｂ）に示すように、透明板扉体１０を取付けた状態で遊技店に搬送され、その状態で外枠２に取付けられる。
【００６９】
次に、透明板扉体１０を前扉８に取付けるための手法を説明する。図１０（ｂ）に示すように、各扉体装着部材５０は、ガラス枠体４０のガイド部材４２にそれぞれねじ込まれており、係止片５３がそれぞれガイド部材４２のネジ孔４２ａから後方へ突出した状態になっている。そして、前扉８を閉成方向へ回動させると、図１０（ｅ）に示すように、ガラス枠体４０の各ガイド部材４２から後方へ突出した各係止片５３の後端が、透明板扉体１０に備えられた装着片１３の装着用貫通孔１３ａに前方からそれぞれ挿入される。
【００７０】
各係止片５３の後端に形成された各第２傾斜部５３ｅ（図５）の後端間の距離は装着用貫通孔１３ａの内径よりも僅かに短いため、各係止片５３を装着用貫通孔１３ａへ挿通する際に各係止片５３の各後端が装着用貫通孔１３ａの前方端部に引っ掛かることがない。そして、前扉８の閉成方向への回動が進行すると、各係止片５３は装着用貫通孔１３ａの内部を後方へ移動する（図１０（ｅ）、（ｆ））。このとき、各係止片５３は、それぞれ自身の円弧部５３ｄを装着用貫通孔１３ａの内面に当接しながら後方へ移動し、その移動が進むにつれて、係止片５３，５３は、自身のバネ力に抗しながら、それぞれ内方（係止片５３間の間隔を狭める方向）に撓む。
【００７１】
そして、各係止片５３の各円弧部５３ｄが装着用貫通孔１３ａの後方の開口端１３ｂ（図１０（ｄ））から後方へ突出すると、各係止片５３は、それぞれ自身のバネによる復元力によって外方（係止片５３間の間隔を拡げる方向）へ撓み、挿入前の姿勢に復帰し、棒状部５３ａと第１傾斜部５３ｃとの境界にある係止部５３ｇ（図５）が装着用貫通孔１３ａの後方の開口端１３ｂにそれぞれ係止される（図１１（ａ）、（ｃ））。このとき、各係止片５３に形成された各円弧部５３ｄの円弧部５３ｄ間の距離は、装着用貫通孔１３ａの後方の開口端１３ｂの外径よりも長いため、各係止片５３の開口端１３ｂに対する係止状態が維持される。
また、各係止片５３による開口端１３ｂに対する係止状態における係止力は、透明板扉体１０に装着された磁石１２ｃと、遊技盤２０の上部後面支持部材２２に装着されている磁石２２ｄとの吸着力よりも大きい。つまり、各扉体装着部材５０による透明板扉体１０に対する機械的結合による係止力は、透明板扉体１０と遊技盤２０との磁石による吸着力よりも大きい。
【００７２】
そして、図１１（ｂ）に示すように、前扉８を開放すると、各扉体装着部材５０による透明板扉体１０に対する係止力が、透明板扉体１０と遊技盤２０との磁石による吸着力よりも勝っているため、透明板扉体１０は、遊技盤２０との吸着状態が解除され、遊技盤２０の前面から取り外され（図１１（ｄ））、前扉８の後面に取付けられた状態で前扉８と共に開放される。
つまり、遊技盤２０を交換した後で、各扉体装着部材５０を時計回りに目一杯ねじ込んだ状態で前扉８を閉成し、再度開放するだけで透明板扉体１０を遊技盤２０から取り外すことができ、透明板扉体１０が前扉８の後面に取付けられた状態にすることができる。
【００７３】
［前扉８を開放したときに透明板扉体１０を遊技盤２０に残すための手法］
次に、前扉８を開放したときに透明板扉体１０を遊技盤２０に残すための手法について説明する。
図１２は当該手法を示す説明図であり、（ａ）は前扉８が閉成された状態の横断面図、（ｂ）は各扉体装着部材５０による係止を解除した状態の横断面図、（ｃ）は前扉８を開放した状態の横断面図、（ｄ）は（ａ）の状態における扉体装着部材５０の状態を示す縦断面図、（ｅ）は扉体装着部材５０の係止が解除された状態の縦断面図、（ｆ）は（ｂ）の状態における扉体装着部材５０の状態を示す縦断面図、（ｇ）は扉体装着部材５０の係止片５３が装着用貫通孔１３ａから抜け出ようとしている状態を示す縦断面図、（ｈ）は扉体装着部材５０の係止片５３が装着用貫通孔１３ａから抜け出た状態を示す縦断面図である。
【００７４】
図１２（ａ）、（ｄ）に示すように、前扉８が閉成されており、透明板扉体１０が各扉体装着部材５０の各係止片５３に係止された状態になっている。ここで、前扉８の前面に設けられている各カバー部材３３をそれぞれ開放し、露出した各操作摘部５２を摘んでそれぞれ反時計方向へ回動し、ガラス枠体４０に装着されたガイド部材４２のネジ孔４２ａにそれぞれねじ込まれた各扉体装着部材５０を緩める。これにより、各扉体装着部材５０は、それぞれ前方へ移動する。このとき、係止片５３の棒状部５３ａと第１傾斜部５３ｃとが成す角度は鈍角であるため、棒状部５３ａと第１傾斜部５３ｃとの境界にある係止部５３ｇ（図５）で係止されていた装着用貫通孔１３ａの後方の開口端１３ｂ（図１２（ｇ））は、第１傾斜部５３ｃ上を後方へ相対移動し、係止片５３の開口端１３ｂに対する係止力が次第に小さくなる。
【００７５】
そして、各操作摘部５２をそれぞれさらに反時計方向へ回動すると、各係止片５３の各円弧部５３ｄは、それぞれ上記開口端１３ｂを装着用貫通孔１３ａの内部前方へ乗り越え（図１２（ｅ））、各係止片５３の開口端１３ｂに対する係止状態がそれぞれ解除される。
このとき、各係止片５３の開口端１３ｂに対する係止力が無くなり、透明板扉体１０に装着された磁石１２ｃと、遊技盤２０の上部後面支持部材２２に装着されている磁石２２ｄとの吸着力よりも小さくなる。つまり、各扉体装着部材５０による透明板扉体１０に対する機械的結合による係止力は、透明板扉体１０と遊技盤２０との磁石による吸着力よりも小さくなる。
【００７６】
ここで、図１２（ｃ）に示すように、前扉８を開放すると、透明板扉体１０と遊技盤２０との磁石による吸着力が、各扉体装着部材５０による透明板扉体１０に対する係止力よりも勝っているため、透明板扉体１０は、遊技盤２０との吸着状態を維持し、遊技盤２０の前面に残り、前扉８のみが開放される。
つまり、前扉８を開放する前に、各扉体装着部材５０を反時計回りに目一杯緩めておくだけで、前扉８を開放したときに透明板扉体１０が遊技盤２０に取付けられたままの状態にすることができる。
【００７７】
従って、発射レールの取付角度や遊技球の発射強度などの調整を行った後に、遊技球を試射して調整結果を確認するような場合は、各扉体装着部材５０をそれぞれ緩め、透明板扉体１０に対する係止状態を解除してから前扉８を開放すれば、透明板扉体１０が遊技盤２０の前面を覆った状態にしておくことができるため、前扉８とは別個に透明板扉体１０を閉成する手間が不要となる。
【００７８】
［前扉８と共に透明板扉体１０を開放するための手法］
次に、前扉８と共に透明板扉体１０を開放するための手法について説明する。
図１３は当該手法を示す説明図であり、（ａ）は前扉８が閉成された状態の横断面図、（ｂ）は各扉体装着部材５０により係止を行った状態の横断面図、（ｃ）は前扉８を開放した状態の横断面図、（ｄ）は（ａ）の状態における扉体装着部材５０の状態を示す縦断面図、（ｅ）、（ｆ）は係止片５３が装着用貫通孔１３ａの内部を後方へ進む様子を示す縦断面図、（ｇ）は扉体装着部材５０が係止された状態の縦断面図、（ｈ）は（ｃ）の状態における扉体装着部材５０の状態を示す縦断面図である。
【００７９】
図１３（ａ）、（ｄ）に示すように、前扉８が閉成されており、扉体装着部材５０の係止片５３が装着片１３の装着用貫通孔１３ａから後方へ突出していない状態において、まず、前面装飾扉３０の前面上部に設けられた各カバー部材３３をそれぞれ開放し、各扉体装着部材５０の操作摘部５２をそれぞれ露出させる。そして、操作摘部５２を摘み、時計回りに回転させると、軸体５１がガイド部材４２のネジ孔４２ａにねじ込まれ、軸体５１が後方へ進む（図１３（ｅ）、（ｆ））。このとき、各係止片５３は、それぞれ自身の円弧部５３ｄを装着用貫通孔１３ａの内面に当接しながら後方へ移動し、その移動が進むにつれて、係止片５３，５３は、自身のバネ力に抗しながら、それぞれ内方（係止片５３間の間隔を狭める方向）に撓む。
【００８０】
そして、さらに操作摘部５２を時計回りに回転させると、各係止片５３の各円弧部５３ｄ（図５）が、装着用貫通孔１３ａの後方の開口端１３ｂ（図１３（ｄ））から後方へ超えて外部に露出する。さらに操作摘部５２を時計回りに回転させると、係止片５３の第１傾斜部５３ｃと装着用貫通孔１３ａの後方の開口端１３ｂとが接触し、その後部開口端は、第１傾斜部５３ｃ上を棒状部５３ａとの境界にある係止部５３ｇに向けて相対移動する。また、各係止片５３は、それぞれ自身のバネによる復元力によって外方（係止片５３間の間隔を拡げる方向）へ撓み、挿入前の姿勢に復帰する。
【００８１】
そして、装着用貫通孔１３ａの後方の開口端１３ｂが、係止部５３ｇに到達すると、その係止部５３ｇによって開口端１３ｂが係止された状態になる（図１３（ｂ）、（ｇ））。各係止片５３に形成された各円弧部５３ｄの円弧部５３ｄ間の距離は、装着用貫通孔１３ａの後方の開口端１３ｂの外径よりも長いため、各係止片５３の開口端１３ｂに対する係止状態が維持される。
【００８２】
このとき、係止片５３の開口端１３ｂに対する係止力は、透明板扉体１０の磁石１２ｃと、遊技盤２０の磁石２２ｄとの吸着力よりも大きくなる。つまり、透明板扉体１０が遊技盤２０に取付けられている取付箇所における取付力よりも、透明板扉体１０が前扉８に取付けられている取付箇所における取付力の方が大きい。
従って、図１３（ｃ）、（ｈ）に示すように、前扉８を開放すると、磁石１２ｃと磁石２２ｄとの吸着状態が解除され、透明板扉体１０は遊技盤２０から前方へ離れ、前扉８と共に移動する。
【００８３】
以上のように、盤面２０ａで球詰まりが発生した場合は、各扉体装着部材５０を時計回りに回転させ、遊技盤２０の方向へそれぞれねじ込むことにより、各扉体装着部材５０の各係止片５３がそれぞれ透明板扉体１０に係止される。そして、そのまま前扉８を開放すると、透明板扉体１０が前扉８と共に移動し、透明板扉体１０を遊技盤２０から外すことができるため、球詰まりを解消する作業を行うことができる。
また、開放した前扉８を再度閉成すれば、ガラス枠体４０の磁石１２ｃと、透明板扉体１０の磁石２２ｄとが再度吸着し、透明板扉体１０が遊技盤２０の盤面２０ａを覆った状態にすることができる。
【００８４】
［第１実施形態の効果］
（１）以上のように、第１実施形態のパチンコ機１を使用すれば、透明板扉体１０が各扉体装着部材５０によって前扉８に係止された状態にしておけば、前扉８を開放したときに透明板扉体１０が遊技盤２０から外され、透明板扉体１０が前扉８に取付けられた状態にしておくことができる。
従って、遊技盤２０の盤面２０ａ上で球詰まりなどの不具合が発生したときに、前扉８を開放すれば、前扉８と共に透明板扉体１０も開放されるため、前扉８とは別個に透明板扉体１０を開放する手間が不要になる。
【００８５】
また、透明板扉体１０が各扉体装着部材５０によって前扉８に係止されていない状態にしておけば、前扉８を開放したときに、透明板扉体１０が、ガラス枠体４０の磁石１２ｃと、透明板扉体１０の磁石２２ｄとによる吸着力によって、遊技盤２０に取付けられた状態にしておくことができる。
従って、発射レール２１の取付角度や遊技球の発射強度などの調整を行った後に遊技球を試射する際に、透明板扉体１０を閉成する手間が不要になる。
つまり、透明板扉体１０を開閉する際の作業性を良くすることができる。
【００８６】
（２）また、透明板扉体１０は、遊技盤２０に対して着脱可能であるため、遊技盤２０の製造段階において予め透明板扉体１０を遊技盤２０に取付けておけば、遊技盤２０の搬送中（遊技店への搬入作業中およびパチンコ機への設置作業中も含む）に遊技盤２０の盤面２０ａを透明板扉体１０によって保護することができる。
従って、遊技盤２０の盤面２０ａに取付けられている各種の遊技部品（例えば、図柄表示装置２７、遊技釘、装飾用ＬＥＤなどの発光部材など）の損傷や変形を防止することができる。同様に、遊技店内においてパチンコ機１の設置場所を変更する際や、遊技店からパチンコ機１を撤去する際にも上記の遊技部品を保護することができる。このため、図柄表示装置２７を画面に傷のない状態で再利用（リユース）することもできる。
【００８７】
（３）さらに、前扉８が閉成された状態において、扉体装着部材５０をガラス枠体４０にねじ込むと、扉体装着部材５０が透明板扉体１０に係止され、その係止力（取付力）は、透明板扉体１０の磁石１２ｃと、遊技盤２０の磁石２２ｄとによる吸着力（取付力）よりも大きくなるため、前扉８を開放すると、前扉８に取付けられた状態の透明板扉体１０が遊技盤２０から外され、前扉８と一緒に開放することができる。
【００８８】
また、逆に、前扉８が閉成された状態において、扉体装着部材５０を緩めると、扉体装着部材５０の透明板扉体１０に対する係止状態が解かれ、その係止力（取付力）が無くなり、磁石１２ｃおよび磁石２２ｄによる吸着力（取付力）よりも小さくなるため、前扉８を開放すると、透明板扉体１０は遊技盤２０に取付けられたままの状態になり、前扉８のみを開放することができる。
【００８９】
（４）前扉８が開放された状態において、扉体装着部材５０をガラス枠体４０にねじ込んでおき、前扉８を閉成すると、扉体装着部材５０が透明板扉体１０に係止され、その係止力（取付力）は、磁石１２ｃおよび磁石２２ｄによる吸着力（取付力）よりも大きくなるため、再度前扉８を開放すると、透明板扉体１０を前扉８に取付けられた状態で前扉８と一緒に開放することができる。
また、前扉８が閉成された状態において、扉体装着部材５０を緩め、透明板扉体１０との係止状態を解くと、その係止力（取付力）が無くなり、磁石１２ｃおよび磁石２２ｄによる吸着力（取付力）よりも小さくなるため、前扉８を開放すると、透明板扉体１０は遊技盤２０に取付けられたままの状態になり、前扉８のみを開放することができる。
【００９０】
（５）前扉８の後面と透明板扉体１０の前面との間において、前扉８の窓部３１の後面を覆うガラス枠体４０が前扉８の後面に取付けられているため、盤面２０ａを流下する遊技球が透明板扉体１０の後面に衝突したときの衝突音を軽減することができる。さらに、盤面２０ａに対する不正行為防止を強化することもできる。
【００９１】
（６）扉体装着部材５０を反時計回りに回動し、ねじ込みを緩めて前方へ移動させるだけの簡単な操作により、係止部５３ｇが透明板扉体１０の装着用貫通孔１３ａの後方の開口端１３ｂに係止された状態を解除することができる。
【００９２】
（７）扉体装着部材５０を操作するための操作摘部５２が、前扉８の前面に露出可能になっているため、前扉８を開放しなくても扉体装着部材５０を操作することができる。
（８）ガラス枠体４０のガラス板４１と透明板扉体１０との間に、遊技方法やホール側からのメッセージなどを表示した表示体を介在させ、それを前扉８の窓部３１からガラス越しに遊技者に表示することができる。
【００９３】
＜第２実施形態＞
次に、この発明の第２実施形態について図１４を参照して説明する。
図１４は、この実施形態のパチンコ機における透明板扉体１０の着脱手法の説明図であり、（ａ）は取付前の説明図、（ｂ）は取付後の説明図である。この実施形態のパチンコ機は、扉体装着部材の係止片を摘んで透明板扉体１０を前扉８から外すことを特徴とする。なお、第１実施形態と同じ構成については説明を省略し、同じ符号を使用する。
【００９４】
扉体装着部材５４，５４が、ガラス枠体４０の板状枠部材４３の後面から後方へそれぞれ突出している。各扉体装着部材５４の軸体５１ａの基部は、板状枠部材４３に固定されたガイド部材４２のネジ孔４２ａにそれぞれ固定されている。各軸体５１ａの後端には、係止片５３が一対ずつ後方へ突出形成されている。各係止片５３および装着用貫通孔１３ａの形状および関係は、第１実施形態と同一である。扉体装着部材５４の前端には、第１実施形態の扉体装着部材５０の前端に備えられていた操作摘部５２は備えられていない。また、第１実施形態の前扉８の前面に備えられていたカバー部材３３および収容凹部３４は備えられていない。
この実施形態では、扉体装着部材５４を回動してねじ込むという操作が不要であるため、各軸体５１ａの外周面には雄ねじがそれぞれ形成されていないが、雄ねじが形成されている第１実施形態の軸体５１を利用することもできる。
【００９５】
透明板扉体１０が遊技盤２０に取付けられており、前扉８が開放された状態から前扉８を閉成すると、各扉体装着部材５４の各係止片５３がそれぞれ透明板扉体１０の各装着用貫通孔１３ａに挿通され、各装着用貫通孔１３ａの後方の各開口端１３ｂにそれぞれ係止される。そして、前扉８を開放すると、透明板扉体１０は前扉８と共に開放され、遊技盤２０から外れる。
ここで、透明板扉体１０を遊技盤２０に戻す場合は、装着用貫通孔１３ａから後方へ突出して相対向している係止片５３，５３を摘み、係止片５３の後端間の間隔を狭くし、各係止片５３の各円弧部５３ｄが装着用貫通孔１３ａの開口端１３ｂ（図１２（ｇ））の内側にくるようにする。ここで、透明板扉体１０に対して、ガラス枠体４０の後面から離反するように力を加えると、各係止片５３の各円弧部５３ｄが装着用貫通孔１３ａの内部に入り込み、各係止片５３が装着用貫通孔１３ａから前方へ抜け出し、透明板扉体１０がガラス枠体４０から外れる。
【００９６】
また、相対向している係止片５３，５３を摘まないで、透明板扉体１０およびガラス枠体４０が相互に離反するように力を加えると、扉体装着部材５４の係止片５３，５３の係止状態が解除され、透明板扉体１０をガラス枠体４０から取り外すことができる。
そして、透明板扉体１０に設けられた各上部取付軸１２の各突出部１２ａ（図６）を遊技盤２０の各上部取付孔２３（図７（ａ））へそれぞれ挿通し、透明板扉体１０に設けられた各下部係止片１４（図６（ｂ））を遊技盤２０の各下部取付孔２４（図７（ａ））へそれぞれ挿通する。これにより、各突出部１２ａの内部に固定されている各磁石１２ｃ（図６（ｂ））と、各上部取付孔２３の内部に固定されている各上部後面支持部材２２の内部に固定された各磁石２２ｄ（図５）とがそれぞれ吸着し、各下部係止片１４が各下部取付孔２４の内部に固定された下部後面支持部材２５の本体２５ａに係止され、透明板扉体１０が遊技盤２０の前面に取付けられた状態になる（図９）。
【００９７】
［第２実施形態の効果］
（１）以上のように、第２実施形態のパチンコ機１を使用すれば、各扉体装着部材５４は、ガラス枠体４０の後面からそれぞれ後方へ突出しており、かつ、その突出した各扉体装着部材５４の後端には一対の係止片５３，５３がそれぞれ形成されているため、透明板扉体１０の各装着用貫通孔１３ａに扉体装着部材５４をそれぞれ挿通すると、扉体装着部材５４の係止片５３が装着用貫通孔１３ａの開口端１３ｂにそれぞれ係止され、透明板扉体１０が前扉８に取付けられた状態にすることができる。
【００９８】
（２）また、装着用貫通孔１３ａから後方に突出した係止片５３を手指などで摘むことにより、係止片５３の開口端１３ｂに対する係止状態を解除すれば、透明板扉体１０を前扉８から取り外すことができる。
【００９９】
（３）さらに、第１実施形態における扉体装着部材５０の操作摘部５２のように、扉体装着部材５４を回動操作するための操作部が前扉８の前面に露出しないし、操作部を収容するための収容凹部３４を前扉８の前面に形成する必要もないため、前扉８のデザインが損なわれるおそれもない。
【０１００】
＜第３実施形態＞
次に、この発明の第３実施形態について図１５を参照して説明する。
図１５は、この実施形態のパチンコ機における透明板扉体１０の着脱手法の説明図であり、（ａ）は取付前の説明図、（ｂ）は扉体装着部材の係止前の説明図、（ｃ）は取付後の説明図である。この実施形態のパチンコ機は、扉体装着部材の後端に設けられた係止片を回動して透明板扉体１０を前扉８に取付けることを特徴とする。なお、第１実施形態と同じ構成については説明を省略し、同じ符号を使用する。
【０１０１】
扉体装着部材６０，６０が、ガラス枠体４０の板状枠部材４３の後面から後方へそれぞれ突出している。各扉体装着部材６０の軸体６１の基部は、板状枠部材４３に固定されたガイド部材４２のネジ孔４２ａにそれぞれ回動可能に嵌合されている。各軸体６１の後端には、取付部６２がそれぞれ後方へ突出しており、その取付部６２の後端には、係止片６３が取付部６２と交差する方向にそれぞれ形成されている。また、透明板扉体１０に形成された各装着片１３の各装着用貫通孔１３ｃは、それぞれ係止片６３を挿通可能な形状に形成されている。
この実施形態では、各取付部６２は、それぞれ後方へ延びた棒状に形成されており、各係止片６３は、取付部６２の後端において取付部６２の中心軸と交差する棒状にそれぞれ形成されている。
【０１０２】
透明板扉体１０は、各係止片６３を対応する装着用貫通孔１３ｃへ挿通することによりガラス枠体４０の後面に取付ける。このとき、各係止片６３の姿勢が、対応する装着用貫通孔１３ｃへ挿通不可能な姿勢になっている場合は、係止片６３を回動させて姿勢を修正する（図１５（ａ））。そして、各係止片６３を対応する装着用貫通孔１３ｃへそれぞれ挿通する（図１５（ｂ））。続いて、各係止片６３をそれぞれ回動し、各係止片６３がそれぞれ装着用貫通孔１３ｃから前方へ抜けないようにする。これにより、各係止片６３が装着片１３の後面に係止され、透明板扉体１０がガラス枠体４０の後面に取付けられた状態になる。
【０１０３】
そして、前扉８を閉成すると、透明板扉体１０の各上部取付孔２３の内部に固定されている各上部後面支持部材２２の内部に固定された各磁石２２ｄ（図５）とがそれぞれ吸着し、各下部係止片１４が各下部取付孔２４の内部に固定された下部後面支持部材２５の本体２５ａに係止され、透明板扉体１０が遊技盤２０の前面に取付けられた状態になる（図９）。
また、その状態から前扉８を開放すると、透明板扉体１０は遊技盤２０から外され、前扉８と共に開放される。そして、各係止片６３を係止前の姿勢にそれぞれ回動し、透明板扉体１０およびガラス枠体４０を相互に離反させると、各係止片６３は、各装着用貫通孔１３ｃからそれぞれ前方へ抜け出し、透明板扉体１０をガラス枠体４０の後面から外れる。
【０１０４】
この透明板扉体１０に設けられた各上部取付軸１２の各突出部１２ａ（図６）を遊技盤２０の各上部取付孔２３（図７（ａ））へそれぞれ挿通し、透明板扉体１０に設けられた各下部係止片１４（図６（ｂ））を遊技盤２０の各下部取付孔２４（図７（ａ））へそれぞれ挿通する。これにより、各突出部１２ａの内部に固定されている各磁石１２ｃ（図６（ｂ））と、各上部取付孔２３の内部に固定されている各上部後面支持部材２２の内部に固定された各磁石２２ｄ（図５）とがそれぞれ吸着し、各下部係止片１４が各下部取付孔２４の内部に固定された下部後面支持部材２５の本体２５ａに係止され、透明板扉体１０が遊技盤２０の前面に取付けられた状態になる（図９）。
【０１０５】
［第３実施形態の効果］
以上のように、第３実施形態のパチンコ機１を使用すれば、透明板扉体１０の各装着用貫通孔１３ｃから後方へ突出した各係止片６３をそれぞれ所定量回動すると、各係止片６３を各装着片１３の後面にそれぞれ係止することができる。
また、各係止片６３を係止前の姿勢になるまでそれぞれ回動して戻すと、各係止片６３と各装着用貫通孔１３ｃとがそれぞれ一致し、透明板扉体１０をガラス枠体４０から取り外すことができる。
【０１０６】
＜他の実施形態＞
（１）透明板枠体１１に形成された各上部取付軸１２の各突出部１２ａの後面からそれぞれ後方へ突出した各筒状部１２ｂ（図６）をゴムなどの弾性材料によってそれぞれ形成し、その各筒状部１２ｂの外径を遊技盤２０に貫通形成された上部取付孔２３（図７（ａ））の内径の上下幅よりもそれぞれ僅かに大きく形成することもできる。この構成によれば、各筒状部１２ｂを上部取付孔２３にそれぞれ圧入することができ、その圧入により発生する摩擦力と、磁石１２ｃ，２２ｄ（図６（ｂ）、図５）同士の吸着力とが相俟って透明板扉体１０を遊技盤２０の前面に取付けるための取付力となる。
従って、磁力のみで透明板扉体１０を遊技盤２０に取付けた場合の取付力よりも大きな取付力で透明板扉体１０を遊技盤２０に取付けることができる。なお、上記の構成を採用する場合は、各扉体装着部材の透明板扉体１０に対する係止力は、上記の圧入による摩擦力と磁力による吸着力とを合わせた取付力よりも大きくなるように各扉体装着部材を構成しておく必要がある。
【０１０７】
（２）透明板枠体１１に形成された各下部係止片１４をゴムなどの弾性材料によってそれぞれ形成し、その各下部係止片１４の所定個所が遊技盤２０に貫通形成された下部取付孔２４に圧入可能な大きさに形成することもできる。この構成によれば、圧入により発生する摩擦力と、磁石１２ｃ，２２ｄ（図６（ｂ）、図５）同士の吸着力とが相俟って透明板扉体１０を遊技盤２０の前面に取付けるための取付力となる。
従って、磁力のみで透明板扉体１０を遊技盤２０に取付けた場合の取付力よりも大きな取付力で透明板扉体１０を遊技盤２０に取付けることができる。なお、上記の構成を採用する場合は、各扉体装着部材の透明板扉体１０に対する係止力は、上記の圧入による摩擦力と磁力による吸着力とを合わせた取付力よりも大きくなるように各扉体装着部材を構成しておく必要がある。
【０１０８】
（３）また、各筒状部１２ｂおよび各下部係止片１４の両方をそれぞれ遊技盤２０の各上部取付孔２３および各下部取付孔２４に圧入可能に構成することもできる。
さらに、各下部係止片１４の内部に磁石を装着し、下部後面支持部材２５の本体２５ａの内部にも磁石を装着し、磁石同士を吸着させてもよい。
【０１０９】
（４）透明板扉体１０と前扉８とを磁力の吸着力を利用して取付け、透明板扉体１０と遊技盤２０とを部材による機械的結合力を利用して取付けることもできる。
例えば、ガラス枠体４０の板状枠部材４３に固定した磁石と、透明板扉体１０に取付けた磁石とを吸着させることにより、透明板扉体１０と前扉８とを着脱可能に取付ける。また、透明板扉体１０を遊技盤２０に装着するための装着部材を挿通するための挿通孔が形成された装着片を透明板扉体１０に設け、その挿通孔に前方から挿通された上記装着部材に設けられた係止片を係止するための係止部を遊技盤２０の前面に設ける。さらに、前扉８の前面には、上記装着部材を操作するための収容凹部を形成し、前扉８の前方から上記装着部材を操作できるようにする。
【０１１０】
この構成を用いる場合は、上記装着部材の係止片の係止部に対する係止力（取付力）が、上記磁石同士の吸着力（取付力）よりも大きくなるように予め設定しておく。また、上記装着部材の前端には、上記収容凹部から露出可能な操作摘部が設けられており、その操作摘部を時計回りに回動すると上記装着部材の係止片が遊技盤の係止部に係止され、反時計回りに回動すると係止状態が解除される。
この構成を用いれば、前扉８が閉成されており、上記装着部材の係止片が遊技盤の係止部に係止されている状態で前扉８を開放すると、透明板扉体１０は遊技盤２０に残り、前扉８のみが開放される。また、前扉８が閉成されており、上記装着部材の係止片が遊技盤の係止部に係止されていない状態で前扉８を開放すると、透明板扉体１０は遊技盤２０から外れ、前扉８に装着された状態で開放される。
【０１１１】
（５）前述の各実施形態における扉体装着部材は、ねじ込み方式であったが、圧入方式などの他の方式を用いることもできる。例えば、軸体５１の後部がゴムなどの弾性材料によって形成されており、係止片５３を備えない扉体装着部材を製造する。また、ガラス枠体４０のガイド部材４２には、内面に雌ねじが形成されていない貫通孔を形成する。さらに、透明板扉体１０に設けられた装着片１３の装着用貫通孔１３ａの内径を上記軸体５１の後部の外径よりも僅かに小さく形成する。さらに、扉体装着部材の前端に形成する操作部は、圧入およびその解除を行い易い形状、例えば指を引っ掛けることができる形状に形成する。
【０１１２】
また、この構成を用いる場合は、軸体５１の後部が装着用貫通孔１３ａに圧入されているときの上記後部と装着用貫通孔１３ａの内面との間に発生する摩擦力（取付力）が、磁石１２ｃ，２２ｄ同士の吸着力（取付力）よりも大きくなるように予め設定しておく。
この構成を用いれば、前扉８が閉成されており、上記扉体装着部材の軸体５１の後部が装着片１３の装着用貫通孔１３ａに圧入されている状態で前扉８を開放すると、透明板扉体１０は遊技盤２０から外れ、前扉８に装着された状態で開放される。また、前扉８が閉成されており、軸体５１の後部が装着用貫通孔１３ａに圧入されていない状態で前扉８を開放すると、透明板扉体１０は遊技盤２０に残り、前扉８のみが開放される。
【０１１３】
（６）吸着する磁石同士の一方を鉄などの磁性体にすることもできる。
（７）前扉８は右端を回動軸にして開閉可能な構成にすることもできる。
【０１１４】
（８）前扉８に対して着脱可能なガラス枠体４０を使用しないで、前扉８の窓部３１にガラス板を一体的に取付ける構成でもよい。この構成の場合、ガラス枠体４０に設けられたガイド部材４２に相当する部分を前扉８の後面に形成し、その部分にねじ込む扉体装着部材の操作摘部が露出する収容凹部３４を前扉８の前面に形成する。
【０１１５】
（９）透明板扉体１０を遊技盤２０または前扉８に着脱可能に取付けるための部材および取付箇所の数は、前述の各実施形態にて説明した数に限定されるものではなく変更することができる。また、各部材の形状および大きさも変更することができる。
【図面の簡単な説明】
【０１１６】
【図１】パチンコ機の外観を示す斜視図である。
【図２】図１に示すパチンコ機の正面図である。
【図３】パチンコ機１の前面上部の説明図である。
【図４】パチンコ機１の内部構造を示す部分断面説明図である。
【図５】前扉８および遊技盤２０間の構成部材を示す分解斜視図である。
【図６】透明板扉体１０の斜視図であり、（ａ）は前方から見た斜視図、（ｂ）は後方から見た斜視図である。
【図７】遊技盤２０および透明板扉体１０の説明図であり、（ａ）は遊技盤２０の正面図、（ｂ）は遊技盤２０の前面に透明板扉体１０が取付けられた状態を示す斜視図である。
【図８】パチンコ機１の正面説明図である。
【図９】図８の縦断面の一部を省略して示す断面部分説明図であり、（ａ）は図８のＡ−Ａ矢視断面部分説明図、（ｂ）は図８のＢ−Ｂ矢視断面部分説明図、（ｃ）は図８のＣ−Ｃ矢視断面部分説明図である。
【図１０】遊技盤２０を交換するときの説明図であり、（ａ）は遊技盤２０および透明板扉体１０が取り除かれた状態の横断面図、（ｂ）は新しく遊技盤２０および透明板扉体１０が取付けられた状態の横断面図、（ｃ）は（ａ）の状態における扉体装着部材５０の状態を示す縦断面図、（ｄ）は（ｂ）の状態における扉体装着部材５０の状態を示す縦断面図、（ｅ）、（ｆ）は係止片５３が装着用貫通孔１３ａの内部を後方へ進む様子を示す縦断面図である。
【図１１】透明板扉体１０を前扉に取付けるための手法を示す説明図であり、（ａ）は前扉８を閉成した状態の横断面図、（ｂ）は前扉８を開放した状態の横断面図、（ｃ）は（ａ）の状態における扉体装着部材５０の状態を示す縦断面図、（ｄ）は（ｂ）の状態における扉体装着部材５０の状態を示す縦断面図である。
【図１２】前扉８を開放したときに透明板扉体１０を遊技盤２０に残すための手法を示す説明図であり、（ａ）は前扉８が閉成された状態の横断面図、（ｂ）は各扉体装着部材５０による係止を解除した状態の横断面図、（ｃ）は前扉８を開放した状態の横断面図、（ｄ）は（ａ）の状態における扉体装着部材５０の状態を示す縦断面図、（ｅ）は扉体装着部材５０の係止が解除された状態の縦断面図、（ｆ）は（ｂ）の状態における扉体装着部材５０の状態を示す縦断面図、（ｇ）は扉体装着部材５０の係止片５３が装着用貫通孔１３ａから抜け出ようとしている状態を示す縦断面図、（ｈ）は扉体装着部材５０の係止片５３が装着用貫通孔１３ａから抜け出た状態を示す縦断面図である。
【図１３】前扉８と共に透明板扉体１０を開放するための手法を示す説明図であり、（ａ）は前扉８が閉成された状態の横断面図、（ｂ）は各扉体装着部材５０により係止を行った状態の横断面図、（ｃ）は前扉８を開放した状態の横断面図、（ｄ）は（ａ）の状態における扉体装着部材５０の状態を示す縦断面図、（ｅ）、（ｆ）は係止片５３が装着用貫通孔１３ａの内部を後方へ進む様子を示す縦断面図、（ｇ）は扉体装着部材５０が係止された状態の縦断面図、（ｈ）は（ｃ）の状態における扉体装着部材５０の状態を示す縦断面図である。
【図１４】第２実施形態のパチンコ機における透明板扉体１０の着脱手法の説明図であり、（ａ）は取付前の説明図、（ｂ）は取付後の説明図である。
【図１５】第３実施形態のパチンコ機における透明板扉体１０の着脱手法の説明図であり、（ａ）は取付前の説明図、（ｂ）は扉体装着部材の係止前の説明図、（ｃ）は取付後の説明図である。
【符号の説明】
【０１１７】
１・・パチンコ機、８・・前扉、１０・・透明板扉体（第１透光性部材）、
１２・・上部取付軸（第１取付手段）、１２ｃ・・磁石（第１取付手段）、
１３・・装着片（第２取付手段）、１３ａ・・装着用貫通孔（第１挿通孔）、
１４・・下部係止片（第１取付手段）、１５・・透明板、２０・・遊技盤、
２０ａ・・盤面、２２・・上部後面支持部材（第１取付手段）、
２２ｄ・・磁石（第１取付手段）、２６ｂ・・大入賞口（入賞口）、
３０・・前面装飾扉、３１・・窓部、３５・・回動軸、
４０・・ガラス枠体（第２透光性部材）、４１・・ガラス板、
４２・・ガイド部材（第２取付手段）、４２ａ・・ネジ孔（第２挿通孔）、
５０・・扉体装着部材（第２取付手段、取付部材）、５２・・操作摘部（操作部）、
５３・・係止片（係止部）。
【図１】
0004731313.tif 000002
【図２】
0004731313.tif 000003
【図３】
0004731313.tif 000004
【図４】
0004731313.tif 000005
【図５】
0004731313.tif 000006
【図６】
0004731313.tif 000007
【図７】
0004731313.tif 000008
【図８】
0004731313.tif 000009
【図９】
0004731313.tif 000010
【図１０】
0004731313.tif 000011
【図１１】
0004731313.tif 000012
【図１２】
0004731313.tif 000013
【図１３】
0004731313.tif 000014
【図１４】
0004731313.tif 000015
【図１５】
0004731313.tif 000016